(57)【要約】【課題】野球の打撃時バットを短く持ってもバットコントロールが低下することなく、鋭いスイングを得ることができるグリップエンド位置変更具を提供する。【解決手段】相応する嵌合部があり着脱自在で、バット５２のグリップエンド５３と同形状の隆起部５１を設けた半円筒型Ａピース（１１、１５、２１、３１）とＡピースとほぼ対称型の半円筒型Ｂピース（１２、１６、２２、３２）によってバットを挟み込んで取り付け、野球の打撃時に使用する。【選択図】　　図４
2004097428.tif 000002
【特許請求の範囲】
【請求項１】
野球（あるいはソフトボール）のバット５２のグリップエンド５３の縦割り半分とほぼ同形状の隆起部５１を設けた、半円筒型（あるいは半輪型）Ａピース（１１、１５、２１、３１）とほぼ対称型の半円筒型（あるいは半輪型）Ｂピース（１２、１６、２２、３２）からなり、半円筒型（あるいは半輪型）Ａピースと半円筒型（あるいは半輪型）Ｂピースそれぞれの端部には相応する嵌合部があり、バットのグリップエンド直近にバットのグリップ５４を挟み込んだ状態で取り付けることができ且つ取り外しが可能な野球（あるいはソフトボール）用バットのグリップエンド位置変更具。
【発明の詳細な説明】
【０００１】
【発明の属する技術分野】
本発明は野球（及びソフトボール）のバット５２のグリップエンド５３の直近に取り付けて、グリップエンド５３とほぼ同形状の別のグリップエンドを設けることによって、打撃時における問題点を解消するためのものである。
【０００２】
【従来の技術】
スイングを鋭くするため標準サイズより短いバットを使用することがあるがそれには以下のような欠点があった。
（イ）　バットが短くなると比例してスイートスポットも短く（範囲が狭く）なってしまう。
（ロ）　重量が軽くなり反発力が低下する。
（ハ）　大は小を兼ねるという市場原理から短いバットは流通量が少ない。
（ニ）　対戦相手の投手に合わしてバットを長く持ちたい場合等を考えるとバットを数本用意して球場に行かなくてはならないし、バットが変わること自体スイングに影響が出る。
【０００３】
バットのグリップエンドと同形状品をバットに接着剤等で完全に固着してしまう方法とかバットの製造段階でグリップエンドを新たにもう１カ所設ける方法などあるが、バットの余す長さ（グリップエンドと握った手との隙間）を変えたい時や多数の人間が共用している場合などを考えるとこの方法は汎用的ではない。
【０００４】
【発明が解決しようとする課題】
従来標準サイズのバット５２を短く持って（グリップエンド５３と握った手の間に隙間を持たせて）スイングすると、左手小指外側部分（右打者の場合）がグリップエンドに接触していないため、バットが滑りそうな気がしてどうしても強く握ってしまったり、滑ること自体にに気をとられたりして、その結果バットコントロールが悪くなるという欠点があった。グリップエンドに接してバットを握ればバットコントロールはよくなるがスイングの鋭さは低下してしまう。一方をとればもう一方は悪くなるという誠に悩ましい状態が続いている。本発明はこのような相反する問題を解決して、バットを短く持ってもバットコントロールが低下しないことをめざすものである。
【０００５】
【問題を解決するための手段】
野球（あるいはソフトボール）のバット５２のグリップエンド５３とほぼ同形状の隆起部５１を備えた半円筒型（あるいは半輪型）Ａピースとほぼ対称型の半円筒型（あるいは半輪型）Ｂピースに嵌合部を設けて着脱自在にする。
【０００６】
半円筒型（あるいは半輪型）Ａピース（あるいはＢピースと両方）の端部（隆起部５１のない方）はバット５２のグリップエンド５３に接しているのでずれることなくスイングすることができる。
【０００７】
【発明の実施の形態】
バット５２のグリップエンド５３とほぼ同形状の隆起部５１を設けた半円筒型（あるいは半輪型）Ａピース（１１、１５、２１、３１）とほぼ対称型の半円筒型（あるいは半輪型）Ｂピース（１２、１６、２２、３２）共に内壁の半径はバットのグリップ５４の半径とほぼ同一とし、ＡピースとＢピースに互いに嵌合部を設け着脱可能な構造をつくり、バットの直径の細い所を挟み込んでＡピースとＢピースを嵌合させ、嵌合したＡピースとＢピースをそのまま移動させてバットのグリップエンドに突き当てる（図４）。この状態で野球（あるいはソフトボール）の打撃時に使用する。
【０００８】
【実施例】
図１は実施例１の本発明品単体を示す。半円筒型Ａピース１１の端部二カ所には縦方向に長溝１３があり、半円筒型Ｂピース１２の端部二カ所には縦方向にＬ字型ビード１４がある。Ａピース１１の長溝１３にＢピース１２のＬ字型ビード１４を差し込み、スライドさせると図２のようになる。図３は図２の側面図を示す。
【０００９】
Ｂピース１２のＬ字型ビードの端部（隆起部５１側）を蓋形状にしておけばストッパーにもなるし外観は美しくなる（煩雑になるので図面に蓋形状は記していない）。
【００１０】
スライド嵌合の最後を締まり嵌めにしておけば動くこともなくなる。外す時はＢピース１２の隆起部５１をグリップエンド５３と反対方向に押す。
【００１１】
実際にはバット５２を挟んで嵌合させるので図４のようになる。図５は図４のＣ部拡大図である。打者がバットを振る時、左手小指外側部分（右打者の場合）がＢピース１２を締まり方向に押すのでスイング中外れることはない。また弾性嵌合部がないので衝撃に対しても大変強い。
【００１２】
また実際には、バット５２のグリップ５４の直径は製品によって多少の違いがあるので、そのガタを吸収するため半円筒型Ａピース（及びＢピース）とバット５２の間には発泡体を配置する。
【００１３】
また実際には長さＬ（図２参照）の異なるものを数サイズ用意して球場に行き、他の人と共用したり、個人で使う場合でも相手投手やその日の体調に応じてサイズを選択して使用する。
【００１４】
図６は実施例１で長さＬ（図２参照）が短い場合を示す。半円筒形というよりも半輪型の形状になるが嵌合関係は実施例１と同様なので実施例１の範疇と見なせる。
【００１５】
図７は実施例２を示す。半円筒型Ａピース２１の隆起部５１側には凹部が、半円筒型Ｂピース２２の隆起部５１側には凸部がそれぞれ設けられており、もう一端（隆起部５１と反対方向）は弾性体による嵌合となっている。取り付け方としては一端のの凹部と凸部を嵌合させてから他端の弾性嵌合部を嵌める。実際にはに帯状テープを挟んでおき、外す時はそのテープを引いて外す。
【００１６】
図８は実施例３を示す。半円筒型Ａピース３１と半円筒型Ｂピース３２は端部が縦方向にヒンジ構造で繋がっていて、他端は弾性体による嵌合となっている。取り付けはＡピースとＢピースでバットの細い所を挟み、次に弾性嵌合部を嵌める。実際には帯状テープを挟んでおき、外す時はそのテープを引いて外す。実施例３の場合隆起部５１に隙間が生じるので隙間埋め用のスぺーサー等が必要になる。
【００１７】
【発明の効果】
本発明品を野球のバットに装着してスイングすれば、バットを短く持っているのにもかかわらず左手小指外側部分が新たなグリップエンドに接しているので、バットコントロールが低下することなく鋭いスイングを得ることができる。また着脱自在なのでバットを長く（グリップエンドいっぱいで）持ちたい時は外して使用でき、バットの多人数による共用も可能である。また本発明品の長さＬを変えて例えば２〜４サイズ用意して置けば、余す長さの変更も簡単に行うことができる。
【図面の簡単な説明】
【図１】本発明品単体のの斜視図である。（実施例１）
【図２】本発明品だけで組み合わせた正面図である。（実施例１）
【図３】図２の側面図である。（実施例１）
【図４】本発明品をバットに装着した状態を示す正面図である。（実施例１）
【図５】図４のＣ部拡大図である。（実施例１）
【図６】図２においてＬ＝０もしくはＬが０に近い場合を示す正面図である。（実施例１変形）
【図７】本発明の実施例２（嵌合している状態）を示す正面図である。
【図８】本発明の実施例３（開いている状態）を示す側面図である。
【符号の説明】
１１　　半円筒型Ａピース（実施例１）
１２　　半円筒型Ｂピース（実施例１）
１３　　長溝
１４　　Ｌ字型ビード
１５　　　半輪型Ａピース（実施例１でＬが短い場合）
１６　　　半輪型Ｂピース（実施例１でＬが短い場合）
２１　　半円筒型Ａピース（実施例２）
２２　　半円筒型Ｂピース（実施例２）
３１　　半円筒型Ａピース（実施例３）
３２　　半円筒型Ｂピース（実施例３）
５１　　隆起部
５２　　バット
５３　　バットのグリップエンド
５４　　バットのグリップ
【図１】
2004097428.tif 000003
【図２】
2004097428.tif 000004
【図３】
2004097428.tif 000005
【図４】
2004097428.tif 000006
【図５】
2004097428.tif 000007
【図６】
2004097428.tif 000008
【図７】
2004097428.tif 000009
【図８】
2004097428.tif 000010